(57)【要約】【課題】背上げ可能なベッドにおいて、床部を形成するマットレスが該マットレスを支持するボトムに対して、床部を変形させてもズレ動かないようにしたマットレスの組付け構造を提供すること。【解決手段】前記マットレスを上体側マットと脚側マットとに分割した構成とする。さらに、腰ボトム上面に滑り止め部材を配設する。そして、上体側マット下面側後部に設けた帯布にて形成された空間部に背ボトムの枠フレームを挿通する。それと共に、該上体側マット下面側前部に設けた袋布にて形成された袋部に腰ボトムの支持フレームを差込み、上体側マットを背ボトム及び腰ボトムに取付けるようにする。また、脚側マット下面側両側部に設けた袋布にて形成された袋部に脚ボトムの枠フレームの側部をそれぞれ差込み、脚側マットを脚ボトムに取付けるようにする。【選択図】図１４
2007236432.tif 000002
【特許請求の範囲】
【請求項１】
床部を形成するマットレスを支持するボトムを、少なくとも背ボトム、腰ボトム、脚ボトムとに分割構成し、前記背ボトムを起伏可能とすると共に、脚ボトムを腰ボトム下方へ移動可能とした背上げ可能なベッドにおいて、前記マットレスを上体側マットと脚側マットに分割した構成とし、さらに、前記ボトムの内少なくとも腰ボトムの上面に滑り止め部材を設け、そして、前記上体側マット下面側中間部後方寄りに止着した帯布にて形成された空間部に前側から前記背ボトムの枠フレームを挿通させると共に、該上体側マット下面側前部に止着した袋布にて形成された袋部に前側から前記腰ボトムの支持フレームを差込むことで、上体側マットを背ボトム及び腰ボトムに取付け、前記脚側マット下面側両側部に止着した袋布にて形成された袋部に前記脚ボトムの枠フレームの側部をそれぞれ差込むことで、脚側マットを脚ボトムに取付けるマットレスの組付け構造としたことを特徴とする背上げ可能なベッド。
【請求項２】
前記脚側マットの少なくとも一方の袋布に開着部材を設けたマットレスの組付け構造としたことを特徴とする請求項１に記載の背上げ可能なベッド。
【請求項３】
前記マットレスの上体側マット及び脚側マットをそれぞれクッション部材を布部材で被覆してなる構成とし、前記クッション部材と布部材とを止着したマットレスの組付け構造としたことを特徴とする請求項１乃至２の背上げ可能なベッド。
【請求項４】
前記マットレスに敷設されるベッドパットを、該ベッドパット下面側前部やや後方寄りに止着した後バンドを前記上体側マットと脚側マットの隣接側端部間に形成される隙間に通すと共に前記脚ボトムのステー部材に設けた後側のフック部に引掛け、ベッドパット下面側前部に止着した前バンドを脚ボトムの前記ステー部材に設けた前側のフック部に引掛け、続いて、ベッドパット下面側後部に止着した帯バンドにて形成された空間部に前記上体側マット及び背ボトムの後部を挿通させ、そして、ベッドパット下面側両側部に止着した横バンドを前記腰ボトムの下面側両側部に設けたフック部材に引掛けることで、前記マットレスに敷設するベッドパットの組付け構造としたことを特徴とする請求項１から３に記載の背上げ可能なベッド。
【請求項５】
前記マットレスに敷設されるシーツを、該シーツ下面側後部に止着した袋布にて形成された袋部に前記上体側マット及び前記ベッドパットの後部を差込み、シーツ下面側前部に止着した袋布にて形成された袋部に前記ベッドパット前部を差込むと共に該ベッドパットの前記前バンドを前記袋布前部に設けた抜き穴から突出させ、該前バンドを前記脚ボトムのステー部材に設けた前側の前記フック部に引掛け、そして、シーツ下面側両側部に止着した横バンドを前記腰ボトムの前記フック部材に引掛けることで、前記マットレスに敷設するシーツの組付け構造としたことを特徴とする請求項４に記載の背上げ可能なベッド。
【請求項６】
前記上体側マット及び脚側マットの帯布及び袋布又は前記シーツの袋布に、ゴムのような伸縮性を備えた部材又は素材を用いたマットレス又はシーツの組付け構造としたことを特徴とする請求項１から５に記載の背上げ可能なベッド。
【発明の詳細な説明】
【技術分野】
【０００１】
本発明は、背上げ可能なベッドにおけるマットレス、ベッドパット及びシーツの組付け構造に関するものである。
【背景技術】
【０００２】
従来より、ベッドの一形態として、必要に応じて床部を昇降させて介護したり、床部を起伏させて楽な姿勢でくつろぐことのできるベッドが広く知られている。
しかしながら、このようなベッドは、床部を起伏させる際に、床部を形成するマットレスが該マットレスを支持するボトムに対して床部に仰臥した人（以下、利用者）の足側へズレ動くことで利用者が前ズレして、利用者に不快感を与たり、また、床部を動作させるたびに、マットレスをボトムに対して取付け直す手間等が生じることがある。それと同時に、マットレスに敷設されるベッドパットやシーツもズレる等の問題がある。
【０００３】
そこで、従来では、次のようなマットレスのボトムに対する係止方法を採用したベッドが提案されている。
まず、第一の形態のベッドでは、マットレスを頭部側マットレスと脚部側マットレスとを連結して構成すると共に、頭部側マットレスに頭部側ボトムに係止させるためのストラップ状の係止部を頭側端部から側部に向かって斜めに設け、該係止部を頭部側ボトムに係止させて、頭部側ボトムに対して頭部側マットレスを係止させ、さらに、脚部側ボトムにズレ防止手段である金具を設けて、脚部側マットレスの脚部側ボトムに対する位置規制を行い、脚部側ボトムに対して脚部側マットレスを係止させる方法が提案されている（例えば、特許文献１参照。）。
また、第二の形態のベッドでは、ボトムのマットレス接触面側の一部に滑り止め部材を設け、該滑り止め部材にてマットレスがボトムに対してズレ動くことを防止する方法が提案されている（例えば、特許文献２参照。）。
【特許文献１】特開２００１−２５８９５２号公報
【特許文献２】特開平０７−０７５６５７号公報
【発明の開示】
【発明が解決しようとする課題】
【０００４】
しかしながら、第一の形態の係止方法では、頭部側マットレスは前記係止部にて該頭部側マットレスの頭部側ボトムに対する取付け方向の逆方向以外には頭部側ボトムに対してズレ動かないように取付けられているが、取付け方向の逆方向、すなわち、取付け解除方向へズレ動くことに対して特に対策はされていない。また、脚部側マットレスは前記金具にて該脚部側マットレスの脚部側ボトムに対する取付け方向と利用者の足側方向には脚部側ボトムに対してズレ動かないように取付けられているが、それ以外の方向にズレ動くことに対して特に対策はされていない。したがって、利用者が床部に上がり降りする際や介護者が介助を行う際等にマットレスに接触したときに、マットレスのボトムに対するズレ動きに対して特に対策されていない方向の外的な力がマットレスに作用した場合には、マットレスがズレ動いたり、マットレスのボトムに対する係止が解除されてしまうことがある。このため、利用者や介護者にマットレスがズレ動かないように行動するなどの注意が必要となり、当該ベッドの使用に煩雑感が生じてしまう問題がある。また、マットレスのボトムに対する係止が解除されていることに気付かずに床部を起伏させた際に、マットレスがベッドの他の構成部材と接触することで当該ベッドの所定の動作ができなかったり、また、マットレスが利用者の足側へズレ動くことで、利用者に不快感を与えてしまう問題がある。
また、第二の形態の係止方法では、ボトムとマットレス間に滑り止め部材を介在させることで、ボトムに対してマットレスが接触した状態では、マットレスがズレ動かないようにされているが、マットレスがボトムに対して離間する方向にズレ動くことに対して特に対策はされていない。したがって、床部を起伏させた際等に、ボトムからマットレスが離間しやすく、マットレスがボトムから離間することで、滑り止め部材の滑り止め効果がなくなり、マットレスがズレ動いてしまう問題がある。
さらに、上述したいずれの係止方法も、マットレスがズレ動いてしまう問題があることから、マットレスに敷設させるベッドパット又はシーツもズレ動いてしまうこととなる。したがって、床部上にて快適に過ごせるようにするために、ベッドパット又はシーツを取替えの際以外でも、所定の状態に敷き直す手間が生じる問題がある。
そこで、本発明が解決しようとする課題は、床部を変形させてもマットレスがボトムに対してズレ動くことを防止したマットレスの組付け構造と、床部を変形させても所定の取付け状態が保持されるようにした前記マットレスに敷設されるベッドパット及びシーツの組付け構造を備えた背上げ可能なベッドを提供することを課題とする。
【課題を解決するための手段】
【０００５】
請求項１の発明は、床部を形成するマットレスを支持するボトムを、少なくとも背ボトム、腰ボトム、脚ボトムとに分割構成し、前記背ボトムを起伏可能とすると共に、脚ボトムを腰ボトム下方へ移動可能とした背上げ可能なベッドにおいて、前記マットレスを上体側マットと脚側マットに分割した構成とし、さらに、前記ボトムの内少なくとも腰ボトムの上面に滑り止め部材を設け、そして、前記上体側マット下面側中間部後方寄りに止着した帯布にて形成された空間部に前側から前記背ボトムの枠フレームを挿通させると共に、該上体側マット下面側前部に止着した袋布にて形成された袋部に前側から前記腰ボトムの支持フレームを差込むことで、上体側マットを背ボトム及び腰ボトムに取付け、前記脚側マット下面側両側部に止着した袋布にて形成された袋部に前記脚ボトムの枠フレームの側部をそれぞれ差込むことで、脚側マットを脚ボトムに取付けるマットレスの組付け構造としたことを特徴とする。
請求項２の発明は、前記脚側マットの少なくとも一方の袋布に開着部材を設けたマットレスの組付け構造としたことを特徴とする。
また、請求項３の発明は、前記マットレスの上体側マット及び脚側マットをそれぞれクッション部材を布部材で被覆してなる構成とし、前記クッション部材と布部材とを止着したマットレスの組付け構造としたことを特徴とする。
さらに、請求項４の発明は、前記マットレスに敷設されるベッドパットを、該ベッドパット下面側前部やや後方寄りに止着した後バンドを前記上体側マットと脚側マットの隣接側端部間に形成される隙間に通すと共に前記脚ボトムのステー部材に設けた後側のフック部に引掛け、ベッドパット下面側前部に止着した前バンドを脚ボトムの前記ステー部材に設けた前側のフック部に引掛け、続いて、ベッドパット下面側後部に止着した帯バンドにて形成された空間部に前記上体側マット及び背ボトムの後部を挿通させ、そして、ベッドパット下面側両側部に止着した横バンドを前記腰ボトムの下面側両側部に設けたフック部材に引掛けることで、前記マットレスに敷設するベッドパットの組付け構造としたことを特徴とする。
また、請求項５の発明は、前記マットレスに敷設されるシーツを、該シーツ下面側後部に止着した袋布にて形成された袋部に前記上体側マット及び前記ベッドパットの後部を差込み、シーツ下面側前部に止着した袋布にて形成された袋部に前記ベッドパット前部を差込むと共に該ベッドパットの前記前バンドを前記袋布前部に設けた抜き穴から突出させ、該前バンドを前記脚ボトムのステー部材に設けた前側の前記フック部に引掛け、そして、シーツ下面側両側部に止着した横バンドを前記腰ボトムの前記フック部材に引掛けることで、前記マットレスに敷設するシーツの組付け構造としたことを特徴とする。
そして、請求項６の発明は、前記上体側マット及び脚側マットの帯布及び袋布又は前記シーツの袋布に、ゴムのような伸縮性を備えた部材又は素材を用いたマットレス又はシーツの組付け構造としたことを特徴とする。
【発明の効果】
【０００６】
請求項１の発明によれば、当該マットレスは、各ボトムに取付けるにあたり、各ボトムの所定の部位をマットレスに設けた袋部に差込む、或いは、マットレスに設けた空間部に挿通させるだけでよく、簡単に取付け又は取外しを行える。
また、上体側マットは、帯布及び袋布にて背ボトム及び腰ボトムの所定の部位を包み込む状態で該背ボトム及び腰ボトムに取付けることから、背ボトム及び腰ボトムに対して前方向、左右方向及び背ボトムから離間する方向、すなわち、上体側マットの背ボトム及び腰ボトムに対する取付け解除方向を除く方向にズレ動かないようにできる。また、腰ボトムには滑り止め部材を設けており、該滑り止め部材にて上体側マットを背ボトム及び脚ボトムに対する取付け解除方向にもズレ動きにくくできる。さらに、脚側マットは、袋布にて脚ボトムの所定の部位を包み込む状態で該脚ボトムに取付けることで、脚ボトムに対してズレ動かないようにできる。したがって、床部を起伏させた際にマットレスが各ボトムに対して前方へズレ動くことはなく、マットレスが前方へズレ動くことで生じる利用者の前ズレを防ぐことができ、利用者に不快感を与えないようにできる。さらに、当該マットレスは、上体側マットと滑り止め部材が接触する構成としていることから、上体側マットを滑り止め部材から離間させながら上体側マットを取付け解除方向へ動かすようにしない限り、上体側マットが背ボトム及び腰ボトムに対して簡単にズレ動かないように取付けられている。よって、床部上に利用者がいる状態でマットレスに外的な力が作用されても、該マットレスはズレ動くことはない。また、床部上に利用者がいない状態で外的な力が作用されても、マットレスはほとんどズレ動くことはない。その上、これらのことから、マットレスのボトムに対する係止が不意に解除されることを大方無くせる。さらに、マットレスがズレ動いていることに気付かずに、各ボトムを動作させてしまうことも大方無くせるので、マットレスが各ボトムの動作を妨げることを無くせる。また、マットレスがズレ動かないようにと注意しながら利用者や介護者が行動する必要性がなくなり、当該ベッドＢを取り扱いやすいものとできる。
【０００７】
請求項２の発明によれば、前記脚側マットの袋布に設けた開着部材の止着状態を解除することで、該開着部材を設けた側の袋部を開放でき、より簡単に脚側マットを脚ボトムに取付けできる。また、開着部材を設けることで、開着部材を設けた袋布にて脚ボトムの枠フレームを締め付けることも可能となり、より強固な固定ができるようになる。
【０００８】
また、請求項３の発明によれば、クッション部材に対して布部材がズレ動くことを防止でき、利用者が床部上でより快適に過ごせるようにできる。
【０００９】
さらに、請求項４の発明によれば、当該ベッドパットは、マットレスに敷設させるにあたり、該ベッドパットに設けた各バンドを前記各ボトムの所定の位置に掛けるだけでマットレス上に敷設でき、簡単に取付け又は取外しを行える。
また、ベッドパット前部側は前バンドと後バンドにて前後方向に引張られた状態で脚ボトムに固定させるので、脚ボトムを腰ボトム下方に移動させる際に、脚ボトムと共にベッドパット前部を腰ボトム下方へ移動できる。また、ベッドパットの中間部を腰ボトムに固定していることから、床部を椅子の状態とした状態から立ち上がった際に、ベッドパットがズレ動くことはない。したがって、当該ベッドパットは、床部を変形させても、また、ベッドパットに外的な力が作用されても、きちんと取付けた状態を保つことができる。よって、当該ベッドパット上で利用者が常に快適に過ごせるようにできる。さらに、交換時以外にベッドパットを所定の状態に敷き直す手間を無くせる。
さらに、当該ベッドパットは前記マットレスを前記各ボトムに対して押し付けるようにしながら各ボトムに固定させることから、このベッドパットを取付けることにより、前記マットレスを各ボトムに対してよりしっかりと固定させることができる。
【００１０】
また、請求項５の発明によれば、シーツの前部側は前記ベッドパットと共に脚ボトムに固定されているので、脚ボトムを腰ボトム下方に収納する際に、脚ボトムの移動に伴ってシーツの前部を腰ボトム下方へと移動できる。また、シーツの中間部を腰ボトムに固定していることから、床部を椅子の状態とした状態から立ち上がった際に、シーツがズレ動くことはない。したがって、当該シーツは、床部を変形させても、また、シーツに外的な力が作用されても、きちんと取付けた状態を保つことができる。よって、当該シーツ上で利用者が常に快適に過ごせるようにできる。さらに、交換時以外にシーツを所定の状態に敷き直す手間を無くせる。
【００１１】
そして、請求項６の発明によれば、マットレスの前記上体側マット及び脚側マットに設けた帯布及び袋布が伸縮することから、前記各ボトムに対して上体側マット及び脚側マットをより至便に取付けできる。さらに、上体側マット及び脚側マットを各ボトムに取付けた状態において、帯布及び袋布が各ボトムの所定の部位を締め付けできるようになり、より強固な取付け状態を確保できるようになる。また、同様に、前記シーツの袋布が伸縮することから、前記上体側マット及びベッドパッドに対してシーツを至便に取付けできるようになると共に、よりしっかりとした取付け状態を確保できるようになる。
【発明を実施するための最良の形態】
【００１２】
背上げ可能なベッドにおいて、床部を形成するマットレスを次のように取付ける組付け構造とする。まず、前記マットレスを上体側マットと脚側マットに分割構成する。また、腰ボトム上面に滑り止め部材を配設する。そして、前記上体側マット下面側中間部後方寄りに止着した帯布にて形成された空間部に前側から背ボトムの枠フレームを挿通する。それと共に、該上体側マット下面側前部に止着した袋布にて形成された袋部に前側から腰ボトムの支持フレームを差込み、上体側マットを背ボトム及び腰ボトムに取付けるようにする。また、前記脚側マット下面側両側部に止着した袋布にて形成された袋部に脚ボトムの枠フレームの側部をそれぞれ差込み、脚側マットを脚ボトムに取付けるようにする。さらに、前記脚側マットの少なくとも一方の袋布に開着部材を設ける共に、上体側マット及び脚側マットの帯布及び袋布にゴムのような伸縮性を備えた部材又は素材を用いる。
また、前記マットレスに敷設されるベッドパットを次のように敷設する組付け構造とする。まず、ベッドパット下面側前部やや後方寄りに止着した後バンドを、前記上体側マットと脚側マットの隣接側端部間に形成される隙間に通すと共に、前記脚ボトムのステー部材に設けた後側のフック部に引掛ける。次に、ベッドパット下面側前部に止着した前バンドを脚ボトムの前記ステー部材に設けた前側のフック部に引掛ける。続いて、ベッドパット下面側後部に止着した帯バンドにて形成された空間部に前記上体側マット及び背ボトムの後部を挿通する。そして、ベッドパット下面側両側部に止着した横バンドを前記腰ボトムの下面側両側部に設けたフック部材に引掛けることで、当該ベッドパットをマットレスに敷設するようにする。なお、前記各バンドにはゴムのような伸縮性を備えた部材又は素材を用いる。
さらに、前記マットレスに敷設されるシーツを次のように敷設する組付け構造とする。まず、シーツ下面側後部に止着した袋布にて形成された袋部に前記上体側マット及びベッドパットの後部を差込む。次に、シーツ下面側前部に止着した袋布にて形成された袋部に前記ベッドパット前部を差込むと共に該ベッドパットの前記前バンドを前記袋布前部に設けた抜き穴から突出させ、そして、該前バンドを脚ボトムのステー部材に設けた前側の前記フック部に引掛ける。続いて、シーツ下面側両側部に止着した横バンドを前記腰ボトムの前記フック部材に引掛けることで、当該シーツをマットレスに敷設するようにする。なお、前記横バンド及び袋布にゴムのような伸縮性を備えた部材又は素材を用いる。
【実施例１】
【００１３】
本発明に係るマットレス１の組付け構造及び該マットレス１に敷設されるベッドパット２及びシーツ３の組付け構造を備えたベッドＢの一実施形態を図面に基づいて説明する。
このベッドＢは、床面に設置される基台フレーム４と、該基台フレーム４に対して前後に移動する摺動フレーム５と、該摺動フレーム５を基台フレーム４に対して前後に移動させるための駆動手段６と、さらに、前記基台フレーム４に組付けられる腰ボトム７と、前記基台フレーム４と摺動フレーム５間に摺動フレーム５の前後移動により動作される起伏機構８を介して、前記腰ボトム７と同一平面を形成可能に組付けられる背ボトム９と、前記基台フレーム４と摺動フレーム５間に前記起伏機構８を介して組付けられる収納手段１０と、該収納手段１０に前記腰ボトム７と平行な平面を形成可能に組付けられる脚ボトム１１から主に構成されている。
【００１４】
そして、このベッドＢは次のように動作されるものである。
まず、第１６図の（ａ）図に示す当該ベッドＢのベッドの状態では、駆動手段６は最も伸長されており、基台フレーム４に対して摺動フレーム５が最も前方に移動した状態である。この状態では、腰ボトム７に設けた支持具７ａ，７ａが基台フレーム４に設けた支持プレート４ａ，４ａに当接されており、腰ボトム７は床面に対して略々水平に支持されている。また、この状態では、起伏機構８を構成するロッド１２，１２の基台フレーム４側の回動中心である軸ピン１３，１３と背ボトム９の回動中心である支点ピン１４，１４が最も離間しており、起伏機構８の回動リンク１５と増速リンク１６は最も前方へ回動されている。したがって、前記回動リンク１５が固着された前記背ボトム９は最も下方へ回動された状態となり、背ボトム９は基台フレーム４後部に設けた支持具４ｂ，４ｂに支持されて、前記腰ボトム７の後方側にて該腰ボトム７と略々同一平面を形成する状態となっている。また、前記増速リンク１６が最も前方へ回動されていることから、収納手段１０の連動ロッド１７は最も前方へ押し出された状態となり、収納手段１０の収納フレーム１８及び該収納フレーム１８に枢結された脚ボトム１１も最も前方へ押し出された状態となっている。この状態では、基台フレーム４前部に設けたローラー４ｃ，４ｃが脚ボトム１１に設けた支持プレート１１ａ，１１ａ下面に当接されており、脚ボトム１１は前記腰ボトム７前方側にて該腰ボトム７と略々平行な平面を形成する状態となっている。
【００１５】
このベッドの状態から駆動手段６に短縮動作をさせて、摺動フレーム５を基台フレーム４に対して後方へ移動させると、摺動フレーム５前部に設けた案内部材５ａ，５ａも後方へ移動されることから、該案内部材５ａ，５ａの上面に沿って腰ボトム７に設けたローラー７ｂ，７ｂが動き、腰ボトム７前部側が上方へ回動される。また、これと共に、前記軸ピン１３，１３と支点ピン１４，１４間の距離が短くなり、前記ロッド１２，１２が背ボトム９を押し上げるよう回動され、背ボトム９は支点ピン１４，１４を中心に回動されて背上げされる。この背上げに伴って、前記回動リンク１５が支点ピン１４，１４を中心に後下方へ回動され、該回動リンク１５の溝部１５ａ，１５ａに通された前記増速リンク１６の固定ピン１６ａ，１６ａが後下方へ移動される。これにより、増速リンク１６は摺動フレーム５に設けた固定ピン５ｂ，５ｂを中心に後下方へ回動され、前記連動ロッド１７を後下方へ引き込む。すると、前記収納フレーム１８は基台フレーム４前部に設けたローラー４ｄ，４ｄ，・・・に案内されながらスライドするように後下方へ移動される。さらに、脚ボトム１１は収納フレーム１８と共に移動されることから、脚ボトム１１に設けた前記支持プレート１１ａ，１１ａが基台フレーム４の前記ローラー４ｃ，４ｃ上を移動され、前記支持プレート１１ａ，１１ａの側面視における形状に合わせて脚ボトム１１の後部側が下方回動されて、第１６図の（ｂ）図に示す状態へとベッドＢは変形される。
なお、前記増速リンク１６は摺動フレーム５と共に後方へ移動すると共に固定ピン５ｂ，５ｂを中心に回動して連動ロッド１７を引き込むことから、収納フレーム１８及び脚ボトム１１の前後方向の移動量は駆動手段６の伸縮量より大きくなる。
【００１６】
そして、さらに駆動手段６に短縮動作をさせて、摺動フレーム５を基台フレーム４に対する最後部へと移動させると、前記案内部材５ａ，５ａの上面に沿って腰ボトム７の前記ローラー７ｂ，７ｂがさらに動き、腰ボトム７前部側が下方回動されて、腰ボトム７は前記支持具７ａ，７ａにて基台フレーム４に支持された略々水平な状態に戻る。また、これと共に、前記軸ピン１３，１３と支点ピン１４，１４が最も接近した状態となり、背ボトム９はさらに回動されて最も背上げされた状態となる。この背上げに伴って、前記回動リンク１５が前記支点ピン１４，１４を中心に最も後方へと回動される。また、前記増速リンク１６も前記固定ピン５ｂ，５ｂを中心に最も後方へと回動され、前記連動ロッド１７を最も後方へ引き込む。すると、前記収納フレーム１８は基台フレーム４の前記ローラー４ｄ，４ｄ，・・・に案内されながら後下方へさらに移動され、収納フレーム１８及び脚ボトム１１は腰ボトム７下方に移動される。また、脚ボトム１１の前記支持プレート１１ａ，１１ａと基台フレーム４の前記ローラー４ｃ，４ｃとの当接状態が解除され、脚ボトム１１後部はさらに下方回動されて、脚ボトム１１後部が収納フレーム１８中間部上面に当接した状態となり、第１６図の（ｃ）図に示す椅子の状態へとベッドＢは変形される。
なお、駆動手段６を伸長動作させると、上記とは逆の作用により、当該ベッドＢはベッドの状態へと変形される。
【００１７】
このように当該ベッドＢは動作され、各ボトム７，９，１１が水平な状態である第１６図の（ａ）図に示すベッドの状態から、背ボトム９が背上げされると共に脚ボトム１１が腰ボトム７下方に収納された第１６図の（ｃ）図に示す椅子の状態へと各ボトム７，９，１１を動作させることができる。また、背ボトム９の背上げに伴って、腰ボトム７は上方回動するので、利用者が前方へズレ動くことを防止できる。すなわち、当該ベッドＢは、利用者が床部上にて快適に過ごすことができるように起伏機構８が設けられると共に収納手段１０が設けられ、ベッドの状態や椅子の状態に各ボトム７，９，１１を変形可能としている。
また、加齢による運動能力の低下等によってベッドから立ち上がりが困難な方であっても、ベッドＢを椅子の状態に変形させることで、身体の向きを換えることなく、楽に腰掛け姿勢をとることができ、そのままベッドＢ前方の開放された空間を利用してベッドＢ前方へと立ち上がることができる。
したがって、当該ベッドＢは、一般の家庭における介護の場面においても、有効に活用できるようにされている。
【００１８】
続いて、上述のように動作される各ボトム７，９，１１に取付けられるマットレス１について説明する。
まず、当該マットレス１が取付けられる前記各ボトム７，９，１１について第３図を用いて詳述する。
前記背ボトム９は、平面視にて前方側が開放された略々コ字形状に曲折された枠フレーム９ａの端部間に連結フレーム９ｂが固着されている。さらに、側面視にて略々へ字形状に曲折された回動フレーム９ｃ，９ｃの前端部が前記連結フレーム９ｂの前下方へ突出する状態にて、該回動フレーム９ｃ，９ｃの後端部が前記枠フレーム９ａ後部側中間部に所定間隔をおいて固着されると共に、回動フレーム９ｃ，９ｃと連結フレーム９ｂとの当接部が固着されている。また、前記連結フレーム９ｂの前記回動フレーム９ｃ，９ｃ外側の位置に前方へ突出するようブラケット９ｄ，９ｄが固着されている。さらに、前記枠フレーム９ａ後部側と連結フレーム９ｂ間に複数のステー材９ｅ，９ｅ，・・・が固着されている。
前記腰ボトム７は、平面視にて後方側が開放された略々コ字形状に曲折された枠フレーム７ｃの後部間に連結フレーム７ｄが固着されている。また、側面視にて略々へ字形状に曲折された回動フレーム７ｅ，７ｅの後端部が前記連結フレーム７ｄの後下方へ突出する状態にて、該回動フレーム７ｅ，７ｅの前端部が前記枠フレーム７ｃ前部側中間部に所定間隔をおいて固着され、回動フレーム７ｅ，７ｅと連結フレーム７ｄとの当接部が固着されている。さらに、前記回動フレーム７ｅ，７ｅ後部の前記連結フレーム７ｄ寄りの位置には前記ローラー７ｂ，７ｂ及び前記支持具７ａ，７ａが設けられている。また、前記連結フレーム７ｄの中間部には前記回動フレーム７ｅ，７ｅ間に位置するように穴空き板７ｆが固着されると共に、該穴空き板７ｆの上面にゴム製のスポンジ部材からなる滑り止め部材１９が止着されている。さらに、連結フレーム７ｄと枠フレーム７ｃには平面視にて略々コ字形状に曲折された支持フレーム７ｇ，７ｇ，・・・，７ｈが固着されている。また、前記枠フレーム７ｃの下面側両側部には、側面視にて略々へ字形状に構成されたフック部材７ｉ，７ｉが固着されている。
そして、前記脚ボトム１１は、平面視にて後方側が開放された略々コ字形状に曲折された枠フレーム１１ｂの端部間に連結フレーム１１ｃが固着されている。さらに、前記連結フレーム１１ｃと枠フレーム１１ｂ前部側間に補強フレーム１１ｄ，１１ｄが所定間隔をおいて固着されている。また、前記補強フレーム１１ｄ，１１ｄの後部外側面には前記支持プレート１１ａ，１１ａが連結フレーム１１ｃの後下方に突出した状態にて固着されている。さらに、前記枠フレーム１１ｂ前部側と連結フレーム１１ｃ間に複数のステー材１１ｅ，１１ｅと両端部にフック部１１ｆ，１１ｆを有する複数のステー部材１１ｇ，１１ｇ，１１ｇが固着されている。
【００１９】
次に、マットレス１について説明する。
このマットレス１は、前記背ボトム９及び腰ボトム７に取付ける上体側マット２０と、脚ボトム１１に取付ける脚側マット２１からなる二分割構成としている。
前記上体側マット２０は、第１図に示すように、略々長方体形状とされ、平面視にて前記背ボトム９及び腰ボトム７を覆い隠す大きさとされている。また、該上体側マット２０は、クッション部材２０ａを布部材２０ｂで被覆してなり、クッション部材２０ａと布部材２０ｂが互いにズレ動かないように、上体側マット２０下面において互いに縫合されている（第１図の縫合部２０ｃ，２０ｃ，２０ｃ参照。）。また、上体側マット２０下面側の中間部後方寄りに、帯布２０ｄの両端部が止着され、前後に開口部を有する空間部２０ｅが形成されている。さらに、下面側の前部に袋布２０ｆが止着されて、前側に開口部を有する三つの袋部２０ｇ，２０ｇ，２０ｇが形成されている。
前記脚側マット２１は、第２図に示すように、略々長方体形状とされ、平面視にて前記脚ボトム１１を覆い隠す大きさとされている。また、該脚側マット２１は、クッション部材２１ａを布部材２１ｂで被覆してなり、クッション部材２１ａと布部材２１ｂが互いにズレ動かないように、脚側マット２１下面において互いに縫合されている（第２図の縫合部２１ｃ，２１ｃ，２１ｃ参照。）。また、脚側マット２１下面側の両側部には、袋布２１ｄ，２１ｄがそれぞれ止着されて、内側に開口部を有する袋部２１ｅ，２１ｅが形成されている。さらに、少なくとも一方の前記袋布２１ｄには、その前部に開着部材２１ｆが設けられている。なお、前記開着部材２１ｆは、該開着部材２１ｆを設けた袋布２１ｄ側の袋部２１ｅを任意に開放させたり閉じた状態としたりするためのものであり、例えば、ファスナーや面ファスナー、ボタンとボタンホール等を組合せたもの等が当該開着部材２１ｆとして用いることができる。
また、前記上体側マット２０前部と脚側マット２１後部には、第８図に示すように、上体側マット２０と脚側マット２１を各ボトム７，９，１１に取付けた状態において、平面視にて重なり合う重合部２０ｈ，２１ｇがそれぞれ設けられている。そして、上体側マット２０の前記重合部２０ｈは上面側が前方へ突出した後方下がりの傾斜部２０ｉ（第１図参照。）とされ、脚側マット２１の前記重合部２１ｇは下面側が後方へ突出した後方下がりの傾斜部２１ｈ（第２図参照。）とされている。
【００２０】
このように構成されたマットレス１は次のようにして前記各ボトム７，９，１１に取付ける。
まず、上体側マット２０は、第４図に示すように、前記帯布２０ｄにて形成された空間部２０ｅに背ボトム９の枠フレーム９ａを前側から挿通させると共に、前記袋布２０ｆにて形成された三つの袋部２０ｇ，２０ｇ，２０ｇに腰ボトム７の前部に設けた四つの支持フレーム７ｇ，７ｇ，・・・を前側から差込むことで、第５図に示すように背ボトム９と腰ボトム７に取付ける。
次に、脚側マット２１は、第６図に示すように、まず、開着部材２１ｆの止着状態を解除して、該開着部材２１ｆが設けられた袋布２１ｄ側の袋部２１ｅを幾らか開放した状態とする。然る後、他方の袋布２１ｄにて形成された袋部２１ｅに、脚ボトム１１の枠フレーム１１ｂの一側部を差込み、そして、枠フレーム１１ｂの他方側を開放した袋部２１ｅに差込む。その後、前記開着部材２１ｆを止着状態とすることで、第７図に示すように脚ボトム１１に取付ける。
このようにして、各ボトム７，９，１１にマットレス１を固定させ、第８図に示すように、各ボトム７，９，１１上面にマットレス１を取付ける。
【００２１】
このように、当該マットレス１は、各ボトム７，９，１１に取付けるにあたり、各ボトム７，９，１１の所定の部位をマットレス１に設けた袋部２０ｇ，２０ｇ，２０ｇ，２１ｅ，２１ｅに差込む、或いは、マットレス１に設けた空間部２０ｅに挿通させるだけでよく、簡単に取付け又は取外しを行える。また、脚側マット２１の少なくとも一方の袋布２１ｄに開着部材２１ｆを設けたことで、脚ボトム１１の枠フレーム１１ｂ側部を二つの前記袋部２１ｅ，２１ｅに差込みやすくでき、脚ボトム１１への脚側マット２１の取付けをより簡単に行える。また、開着部材２１ｆを設けることで、開着部材２１ｆを設けた袋布２１ｄにて脚ボトム１１の枠フレーム１１ｂを締め付けることも可能となり、より強固な固定ができるようになる。
また、上体側マット２０は、帯布２０ｄ及び袋布２０ｆにて背ボトム９及び腰ボトム７の所定の部位を包み込む状態で該背ボトム９及び腰ボトム７に取付けることで、背ボトム９及び腰ボトム７に対して前方向、左右方向及び背ボトム９及び腰ボトム７から離間する方向、すなわち、上体側マット２０の背ボトム９及び腰ボトム７に対する取付け解除方向を除く方向にズレ動かないようにされている。また、腰ボトム７には滑り止め部材１９を設けており、該滑り止め部材１９にて上体側マット２０を背ボトム９及び腰ボトム７に対する取付け解除方向にもズレ動きにくくしている。さらに、脚側マット２１は、袋布２１ｄ，２１ｄにて脚ボトム１１の所定の部位を包み込む状態で該脚ボトム１１に取付けることで、脚ボトム１１に対してズレ動かないようにされている。したがって、床部を起伏させた際にマットレス１が各ボトム７，９，１１に対して前方へズレ動くことはなく、マットレス１が前方へズレ動くことで生じる利用者の前ズレを防ぐことができ、利用者に不快感を与えないようにできる。さらに、当該マットレス１は、上体側マット２０と滑り止め部材１９が接触する構成としていることから、上体側マット２０を滑り止め部材１９から離間させながら上体側マット２０を取付け解除方向へ動かすようにしない限り、上体側マット２０が背ボトム９及び腰ボトム７に対して簡単にズレ動かないように取付けられている。よって、床部上に利用者がいる状態では、上体側マット２０と滑り止め部材１９がしっかりと密着するため、介護者が介助を行う際等にマットレス１に外的な力が作用されても、該マットレス１はズレ動くことはない。また、床部上に利用者がいない状態で、利用者が床部に上がり降りする際等に外的な力が作用されても、マットレス１はほとんどズレ動くことはない。その上、これらのことから、マットレス１のボトム７，９，１１に対する係止が不意に解除されることを大方無くせる。さらに、マットレス１がズレ動いていることに気付かずに、各ボトム７，９，１１を動作させてしまうことも大方無くせるので、マットレス１が各ボトム７，９，１１の動作を妨げることを無くせる。また、マットレス１がズレ動かないようにと注意しながら利用者や介護者が行動する必要性がなくなり、当該ベッドＢを取り扱いやすいものとできる。
さらに、上体側マット２０及び脚側マット２１の互いの隣接側にそれぞれ重合部２０ｈ，２１ｇを設けることで、第８図に示すように、互いの重合部２０ｈ，２１ｇが平面視にて重なり合うように取付けでき、下方から吹き上げてくるような風が上体側マット２０と脚側マット２１の隣接側の隙間から吹き上がりにくくできる。これにより、利用者に不快感を与えないようにでき、利用者が分割された複数のマットからなるマットレス１上で快適に過ごせるようになる。また、それぞれに設けた重合部２０ｈ，２１ｇを傾斜部２０ｉ，２１ｈとすることで、脚ボトム１１を腰ボトム７に対して下方へ移動させると共に後方へ移動させて該腰ボトム７下方へ収納させる際に、脚側マット２１と他のベッドＢの構成部材が干渉することなく、脚ボトム１１を収納しやすくできる。よって、前記収納手段１０を構成しやすくなる。
また、当該マットレス１は、クッション部材２０ａ，２１ａと布部材２０ｂ，２１ｂを互いに縫合することで、床部を起伏させた際や利用者が床部上で動いた際に、クッション部材２０ａ，２１ａに対して布部材２０ｂ，２１ｂがズレ動くことを防止している。これにより、利用者が床部上でより快適に過ごせるようにできる。
【００２２】
なお、前記上体側マット２０及び脚側マット２１の帯布２０ｄ及び袋布２０ｆ，２１ｄ，２１ｄに、ゴムのような伸縮性を備えた部材又は素材を用いておくと、帯布２０ｄ及び袋布２０ｆ，２１ｄ，２１ｄが伸縮することから、前記各ボトム７，９，１１に対して上体側マット２０及び脚側マット２１をより簡単に取付けできるようになる。また、上体側マット２０及び脚側マット２１を各ボトム７，９，１１に取付けた状態において、帯布２０ｄ及び袋布２０ｆ，２１ｄ，２１ｄが各ボトム７，９，１１の所定の部位を締め付けできるようになり、より強固な取付け状態を確保できるようになる。
また、本実施例では、上体側マット２０と脚側マット２１のクッション部材２０ａ，２１ａとそれを被覆する布部材２０ｂ，２１ｂを縫合することで、互いに止着しているが、それらを互いに止着する手段としては、その他に、接着剤や面ファスナー等を用いることができる。
さらに、本実施例では、上体側マット２０と脚側マット２１の重合部２０ｈ，２１ｇを傾斜部２０ｉ，２１ｈとしているが、第９図の（ａ）図に示すような、上体側マット２０の重合部２０ｈを上面側が下面側より前方へ突出した階段状とし、脚側マット２１の重合部２１ｇを下面側が上面側より後方へ突出した階段状としても良い。また、第９図の（ｂ）図に示すような、上体側マット２０の重合部２０ｈを上面側が下面側より前方へ突出した側面視において円弧状とし、脚側マット２１の重合部２１ｇを下面側が上面側より後方へ突出した側面視において円弧状としても良い。このようにしても、上述の傾斜部２０ｉ，２１ｈとした重合部２０ｈ，２１ｇと同様の効果を得ることができる。なお、当該ベッドＢは脚ボトム１１を腰ボトム７に下方に収納させる際、脚ボトム１１を腰ボトム７に対して下方へ移動させると共に後方へ移動させることから、当該ベッドＢの形態においては重合部２０ｈ，２１ｇの形状は、上体側マット２０側は下面側が上面側より前方へ突出した形状とし、脚側マット２１側は下面側が上面側より後方へ突出した形状とすることが望ましい。
【００２３】
次に、前記マットレス１に敷設されるベッドパット２について説明する。
ベッドパット２は、第１０図に示すように、平面視にて略々矩形状に形成され、前記マットレス１を各ボトム７，９，１１に設置した状態（第８図参照。）におけるマットレス１の平面視における大きさと略々同じ大きさとされている。さらに、このベッドパット２の下面側後部には、ゴムのような伸縮性を備えた部材又は素材からなる帯バンド２ａの両端が止着され、前後に開口部を有する空間部２ｂが形成されている。さらに、ベッドパット２の下面側中間部の両側部にはゴムのような伸縮性を備えた部材又は素材の両端を止着させて輪部を形成させてなる横バンド２ｃ，２ｃが設けられると共に、前部下面に前記横バンド２ｃ，２ｃと同様な構成の前バンド２ｄ，２ｄ，２ｄが所定間隔をおいて複数設けられている。また、このベッドパット２の前部やや後方寄りの下面に、前記横バンド２ｃ，２ｃと同様な構成の後バンド２ｅ，２ｅが所定間隔をおいて設けられている。
【００２４】
このように構成されたベッドパット２は次のようにして前記マットレス１に敷設する。
まず、前記後バンド２ｅ，２ｅを、前記上体側マット２０と脚側マット２１の隣接側端部に設けた重合部２０ｈ，２１ｇ間に形成された隙間に通し、そして、該後バンド２ｅ，２ｅを前記脚ボトム１１のステー部材１１ｇ，１１ｇに設けた後側のフック部１１ｆ，１１ｆにそれぞれ引掛ける（第１０図及び第１１図参照。）。
続いて、前記前バンド２ｄ，２ｄ，２ｄを、脚ボトム１１の前記ステー部材１１ｇ，１１ｇ，１１ｇに設けた前側のフック部１１ｆ，１１ｆ，１１ｆにそれぞれ引掛け、ベッドパット２の前部側を脚ボトム１１に固定させると共に前記脚側マット２１上に敷設する（第１０図及び第１１図参照。）。
そして、前記帯バンド２ａにて形成された空間部２ｂに前記上体側マット２０と背ボトム９を挿通させて、ベッドパット２の後部側を上体側マット２０及び背ボトム９に固定すると共に、前記横バンド２ｃ，２ｃを前記腰ボトム７の枠フレーム７ｃ下面側両側部に設けたフック部材７ｉ，７ｉに引掛けて、ベッドパット２の中間部を腰ボトム７に固定させて、該ベッドパット２の中間部から後部を前記上体側マット２０上に敷設する（第１０図及び第１１図参照。）。
このようにして、ベッドパット２を前記各ボトム７，９，１１に固定させて、第１２図に示すように、マットレス１上に当該ベッドパット２を敷設する。
【００２５】
このように、当該ベッドパット２は、マットレス１に敷設させるにあたり、該ベッドパット２に設けた各バンド２ａ，２ｃ，２ｃ，２ｄ，２ｄ，２ｄ，２ｅ，２ｅを前記各ボトム７，９，１１の所定の位置に掛けるだけでマットレス１上に敷設でき、簡単に取付け又は取外しを行える。
また、ベッドパット２の前部側は前バンド２ｄ，２ｄ，２ｄと後バンド２ｅ，２ｅにて前後方向に引張られた状態で脚ボトム１１に固定させるので、上述したように脚ボトム１１を腰ボトム７下方に収納する際に、床部に利用者がいる状態でも、脚ボトム１１と共にベッドパット２前部を腰ボトム７下方へ移動できる（第１６図参照。）。また、ベッドパット２の中間部を腰ボトム７に固定していることから、床部を椅子の状態とした状態から立ち上がった際に、ベッドパット２がズレ動くことはない。したがって、当該ベッドパット２は、床部を変形させても、また、床部への利用者の上がり降りの際や介護者が介助を行う際等にベッドパット２に外的な力が作用されても、きちんと取付けた状態を保つことができる。よって、当該ベッドパット２上で利用者が常に快適に過ごせるようになると共に、交換時以外にベッドパット２を所定の状態に敷き直す手間を無くせる。
さらに、当該ベッドパット２は前記マットレス１を前記各ボトム７，９，１１に対して押し付けるようにしながら各ボトム７，９，１１に固定させることから、このベッドパット２を取付けることにより、前記マットレス１を各ボトム７，９，１１によりしっかりと固定させることができる。
【００２６】
続いて、前記マットレス１に敷設されるシーツ３について説明する。
シーツ３は、第１３図に示すように、平面視にて略々矩形状に形成され、前記ベッドパット２と略々同等以上の大きさとされている。さらに、このシーツ３の下面側後部には袋布３ａが止着されて、前側に開口部を有する袋部３ｂが形成されると共に、下面側前部に袋布３ｃが止着されて、後側に開口部を有する袋部３ｄが形成されている。また、前記袋布３ｃの前部には複数の抜き穴３ｅ，３ｅ，３ｅが所定間隔をおいて設けられている。さらに、シーツ３の下面側中間部の両側部にはゴムのような伸縮性を備えた部材又は素材の両端を止着させて輪部を形成させてなる横バンド３ｆ，３ｆが設けられている。
【００２７】
このように構成されたシーツ３は次のようにして前記マットレス１に敷設する。なお、ここでは、前記ベッドパット２を前記マットレス１上に敷設した状態から当該シーツ３を敷設する手順に沿って説明する。
まず、シーツ３下面側後部の前記袋部３ｂに前記上体側マット２０及びベッドパット２の後部を差込む（第１３図及び第１４図参照。）。
続いて、前記ベッドパット２の前バンド２ｄ，２ｄ，２ｄを脚ボトム１１のステー部材１１ｇ，１１ｇ，１１ｇ前側のフック部１１ｆ，１１ｆ，１１ｆから取外す。そして、ベッドパット２前部をシーツ３下面側前部の前記袋部３ｄに差込むと共に、前記抜き穴３ｅ，３ｅ，３ｅからベッドパット２の前記前バンド２ｄ，２ｄ，２ｄを突出させ、該前バンド２ｄ，２ｄ，２ｄを再び脚ボトム１１の前記フック部１１ｆ，１１ｆ，１１ｆに引掛ける（第１３図及び第１４図参照。）。
そして、前記横バンド３ｆ，３ｆを、ベッドパット２の横バンド２ｃ，２ｃと共に、腰ボトム７の前記フック部材７ｉ，７ｉに引掛ける（第１３図及び第１４図参照。）。
このようにして、第１５図に示すように、前記マットレス１上に前記ベッドパット２と共に当該シーツ３を敷設する。
【００２８】
このように、当該シーツ３は、シーツ３の前部側を前記ベッドパット２と共に脚ボトム１１に固定させているので、上述したように脚ボトム１１を腰ボトム７下方に収納する際に、床部に利用者がいる状態でも、脚ボトム１１の移動に伴ってシーツ３の前部側を腰ボトム７下方へと移動できる（第１６図参照。）。また、シーツ３の中間部を腰ボトム７に固定していることから、床部を椅子の状態とした状態から立ち上がった際に、シーツ３がズレ動くことはない。したがって、当該シーツ３は、床部を変形させても、また、床部への利用者の上がり降りの際や介護者が介助を行う際等にシーツ３に外的な力が作用されても、きちんと取付けた状態を保つことができる。よって、当該シーツ３上で利用者が常に快適に過ごせるようになると共に、交換時以外にシーツ３を所定の状態に敷き直す手間を無くせる。
【００２９】
なお、前記シーツ３の袋布３ａ，３ｃにゴムのような伸縮性を備えた部材又は素材を用いておくと、袋布３ａ，３ｃが伸縮することから、前記上体側マット２０及びベッドパット２に対してシーツ３をより簡単に取付けできるようになる。また、シーツ３をマットレス１及びベッドパット２に敷設した状態において、袋布３ａ，３ｃが上体側マット２０及びベッドパット２の所定の部位を締め付けできるようになり、よりしっかりとした取付け状態を確保できるようになる。
【００３０】
以上のように、当該ベッドＢは、利用者が床部上で快適に過ごせるように、床部を起伏させる機能を備えると共に、脚ボトム１１を腰ボトム７下方に収納することで、床部を椅子の状態に変形可能としている。さらに、当該ベッドＢのマットレス１及び該マットレス１に敷設されるベッドパット２及びシーツ３の組付け構造は、床部を変形させても、それらがズレ動かないようにされており、当該ベッドＢを床部上にてより快適に利用者が過ごせるものとできた。また、当該ベッドＢの前記マットレス１、ベッドパット２及びシーツ３の組付け構造は、床部に利用者が上がり降りする際や、介護者が利用者の介助を行う際等に接触する等して外的な力が作用しても、それらがズレ動くことがないものとされており、それらがズレ動かないようにと利用者及び介護者が注意を払いながら行動する必要がなく、当該ベッドＢは非常に取り扱いやすいものとなった。
【図面の簡単な説明】
【００３１】
【図１】上体側マットを示す底側から見た斜視図。
【図２】脚側マットを示す底側から見た斜視図。
【図３】各ボトムの構成を示す上側から見た斜視図。
【図４】上体側マットを背ボトム及び腰ボトムに取付ける様子を示す底側から見た説明図。
【図５】上体側マットを背ボトム及び腰ボトムに取付けた状態を示す底側から見た斜視図。
【図６】脚側マットを脚ボトムに取付ける様子を示す底側から見た説明図。
【図７】脚側マットを脚ボトムに取付けた状態を示す底側から見た斜視図。
【図８】マットレスを各ボトムに取付けた状態を示す上側から見た斜視図。
【図９】ベッドパッドの別の重合部の形状例を示す部分側面図。
【図１０】ベッドパットをマットレスに敷設する様子を示す底側から見た説明図。
【図１１】ベッドパットをマットレスに敷設した状態を示す底側から見た斜視図。
【図１２】ベッドパットをマットレスに敷設した状態を示す上側から見た斜視図。
【図１３】シーツをマットレスに敷設する様子を示す底側から見た説明図。
【図１４】シーツをマットレスに敷設した状態を示す底側から見た斜視図。
【図１５】シーツをマットレスに敷設した状態を示す上側から見た斜視図。
【図１６】各ボトムが動作する様子を示す説明図。                              （ａ）ベッド状態における側断面図。                                         （ｂ）ベッド状態から椅子状態に変形する過程における一態様を示す側断面図。   （ｃ）椅子状態における側断面図。
【符号の説明】
【００３２】
１      マットレス
２      ベッドパット
２ａ    帯バンド
２ｂ    空間部
２ｃ    横バンド
２ｄ    前バンド
２ｅ    後バンド
３      シーツ
３ａ    袋布
３ｂ    袋部
３ｃ    袋布
３ｄ    袋部
３ｅ    抜き穴
３ｆ    横バンド
７      腰ボトム
７ｇ    支持フレーム
７ｉ    フック部材
９      背ボトム
９ａ    枠フレーム
１１    脚ボトム
１１ｂ  枠フレーム
１１ｆ  フック部
１１ｇ  ステー部材
２０    上体側マット
２０ａ  クッション部材
２０ｂ  布部材
２０ｃ  縫合部
２０ｄ  帯布
２０ｅ  空間部
２０ｆ  袋布
２０ｇ  袋部
２１    脚側マット
２１ａ  クッション部材
２１ｂ  布部材
２１ｃ  縫合部
２１ｄ  袋布
２１ｅ  袋部
２１ｆ  開着部材
Ｂ      ベッド
【図１】
2007236432.tif 000003
【図２】
2007236432.tif 000004
【図３】
2007236432.tif 000005
【図４】
2007236432.tif 000006
【図５】
2007236432.tif 000007
【図６】
2007236432.tif 000008
【図７】
2007236432.tif 000009
【図８】
2007236432.tif 000010
【図９】
2007236432.tif 000011
【図１０】
2007236432.tif 000012
【図１１】
2007236432.tif 000013
【図１２】
2007236432.tif 000014
【図１３】
2007236432.tif 000015
【図１４】
2007236432.tif 000016
【図１５】
2007236432.tif 000017
【図１６】
2007236432.tif 000018